(57)【特許請求の範囲】
【請求項１】
外装材(３)表面上に所定間隔をおいて同一形状の取付金具(30)を複数個取り付け、これらの取付金具(30)のフック部(32、33)に対して化粧板材の係止部(21、25)を係合させることにより、長尺の化粧板材(２)を長手方向に複数本並べて外装材(３)表面に取付・固定する構造であって、
取付金具(30)には、化粧板材裏面を外方に押圧する板ばね(40、41、42)が化粧板材の長手方向に沿って３つ並んで設けられており、
隣接する２つの化粧板材(201、202)の隣接端面の間には所定間隔の隙間が設けられているとともに、この隙間に対応する外装材表面には一の取付金具(30')が位置しており、
外装化粧板材の取付時には、前記一の取付金具(30')の３つの板ばねのうちの中央の板ばね(41)が前記隙間内に入り込んで、隣接する上記２つの化粧板材の長手方向端部に当該板ばね(41)の側端が当接して、当該長手方向端部の位置決めを行うことで当該２つの化粧板材の長手方向の位置ずれを防止する一方、その両側の板ばね(40、42)はそれぞれ対応する化粧板材(201、202)の裏面を外方に押圧することを特徴とする、取付構造。
【請求項２】
外装材(３)の表面に固定される取付面(31)と、該取付面(31)の上下端部の少なくとも一方に連接して前方に突出する化粧板材保持用フック部(32、33)と、を有していて、請求項１記載の取付構造に使用される取付金具(30)であって、
前記取付面(31)の前面には、保持される長尺の化粧板材(２)の裏面を外方に押圧する板ばね(40、41、42)が化粧板材の長手方向に沿って３つ並んで配設されていて、
外装化粧板材の取付時には、前記３つの板ばねのうちの中央の板ばね(41)が前記隙間内に入り込んで、隣接する上記２つの化粧板材の長手方向端部に当該板ばね(41)の側端が当接して、当該長手方向端部の位置決めを行うことで当該２つの化粧板材の長手方向の位置ずれを防止する一方、その両側の板ばね(40、42)はそれぞれ対応する化粧板材(201、202)の裏面を外方に押圧することを特徴とする、取付金具。
【請求項３】
前記３つの板ばねのうち中央の板ばね(41)が、その両側の板ばね(40、42)に対して相対的に前方に突出していることを特徴とする、請求項２記載の取付金具。
【発明の詳細な説明】
【０００１】
【産業上の利用分野】
本発明は、建築用外装化粧板材の取付構造に関する。さらに詳しくは、化粧胴差、化粧破風、笠木等、一般住宅の外壁やパラペット等を化粧するために使用される化粧板材の取付構造およびそこに使用される取付金具に関する。
【０００２】
【従来の技術】
一般の建築物においては、建物の美観を向上させるために外装材の上から化粧胴差等の外装化粧板材を取り付けたり、下屋の上方に水切り機能を有する外装化粧板材を取り付けたりすることが行なわれている。また、屋上等のパラペットの上面には、化粧用笠木が取り付けられる。
【０００３】
図１は外装材に取り付けられた化粧胴差を示す斜視図であり、図２は図１の２−２線断面図であって、その取付構造を示している。桟木４がビス１４および裏板７を使用して外装材３に固定されている。また、桟木４の下方側には取付金具５がビス１５および裏板７を使用して外装材３に固定されている。化粧胴差２は、上端部２１を桟木４の上面に載せ、下端部２５を取付金具５のフック部５６に係止させた状態で外装材３に取り付けられている。なお、図１においては、桟木および取付金具の図示を省略している。
【０００４】
図２に示されているように、化粧胴差２は、ビス１０を使用して桟木４に固定され、その上からコーキング材１２による防水処理が行なわれている。ビスは、化粧胴差の外壁面に対して垂直な方向におけるガタツキ、およびその長手方向における移動（ずれ）を防止するために必要である。しかし、施工性という点からはビスの取付け作業は好ましくない。また、図２においてはビスは化粧胴差上面に打込まれておりコーキング材１２に隠れているが、建築物外壁面における化粧胴差の取付位置によっては、胴差前面にビスを打込む必要が生じる場合もあり、その場合には、施工性が劣るという問題に加えて意匠性が劣るという問題も生じる。
【０００５】
この問題を回避するために、取付金具５に板ばねを取り付けて化粧胴差２を内側から外側へと押圧することが考えられる。このような構成を採れば、ビスを不要にするとともに、壁面に対して垂直な方向における化粧胴差のガタツキを防止することができる。しかしながらこの場合においても、化粧胴差がその長手方向に移動する（ずれる）ことを十分に防止することはできない。
【０００６】
【発明が解決しようとする課題】
したがって、本発明が解決すべき技術的課題は、化粧板材に対して直接ねじ止めを行うことなく、化粧板材の建物外壁面に対して垂直な方向におけるガタツキ、および長手方向における移動（ずれ）を防止することができる取付構造、およびそこに使用される取付金具を提供することである。
【０００７】
【課題を解決するための手段・作用・効果】
本発明は、外装材表面上に所定間隔をおいて同一形状の取付金具を複数個取り付け、これらの取付金具のフック部に対して化粧板材の係止部を係合させることにより、長尺の化粧板材を長手方向に複数本並べて外装材表面に取付・固定する構造に係る。そして、前記課題を解決するために以下の特徴を備えている。
【０００８】
すなわち、隣接する２つの化粧板材の隣接端面の間には所定間隔の隙間が設けられているとともに、この隙間に対応する外装材表面上の位置には一の取付金具が位置することとなるように前記複数の取付金具が配置されている。そして、これらの取付金具は、外装材の表面に固定される取付面と、該取付面の上下端部の少なくとも一方に連接して前方に突出する化粧板材保持用フック部と、を有しており、前記取付面の前面には、保持される長尺の化粧板材の裏面を外方に押圧する板ばねが化粧板材の長手方向に沿って３つ並んで配設されている。
【０００９】
以上の構造によれば、隣接する２つの化粧胴差の隣接端面の間の隙間に対応する外装材表面上の位置に配置された取付金具においては、両端の板ばねが化粧板材の装着時に化粧板材裏面を外方へ押圧するとともに、中央の板ばねが前記隙間に入り込んで化粧板材端部の位置決めを行い化粧板材の長手方向における移動(ずれ)を規制する。より詳細には、上記隙間に入り込んだ中央の板ばねの側端が、隣接する上記２つの化粧板材の長手方向端部に当接して、当該長手方向端部の位置決めを行うことで当該２つの化粧板材の長手方向の位置ずれを防止する。また、それ以外の位置に配置された取付金具においては、３つの板ばねがともに化粧胴差裏面を外方へ押圧する。
【００１０】
したがって、本発明の構造によれば、外装化粧板材に対して直接ビス等の固定手段を打ち込む必要をなくすとともに、化粧板材の外装材に対して垂直な方向におけるガタツキ、およびその長手方向における移動（ずれ）を防止することができる。
【００１１】
また、並んで配設された前記３つの板ばねのうち中央の板ばねをその両側の板ばねに対して相対的に前方に突出させた場合には、実際の化粧板材の取付作業において、化粧板材の端面を相対的に突出した板ばねの側部に当接させることにより、化粧板材の位置決めを容易に行うことができる。つまり、突出した板ばねを案内部材として利用することができ、施工効率が良くなる。
【００１２】
なお、上記構成において板ばねの数を３つとしたのは、板ばねは少なくとも３つあればよいという意味であることは言うまでもない。つまり、板ばねの数は３つで十分であるが、４つ以上の板ばねを設けた場合にも同様の効果を得ることができる。例えば、４つの板ばねを設けた場合、前記隙間に対応する位置に配置された金具においては、両端の２枚を除く中央の２枚またはそのいずれか１つの板ばねが化粧板材端面の位置決めを行い、他の板ばねがそれぞれ対応する化粧板材の裏面を押圧する。また、中央の２枚またはそのいずれか１つの板ばねを他の板ばねに対して相対的に前方に突出させた場合には、突出した板ばねを利用して取付作業時における化粧板材の位置決めを行うことができる。以上のことは、板ばねが５つ以上設けられた場合も同様である。
【００１３】
【実施例】
本発明の実施例を、添付の図面を参照しつつ、以下に詳細に説明する。以下の実施例においては、外装材に対する化粧胴差の取付けにおいて、３枚の板ばねを有する取付金具を使用している。
【００１４】
図３には、本発明の取付構造において使用される取付金具３０が示されている。取付金具３０は、平板状の本体３１とその上下に形成された上フック部３２および下フック部３３から構成されている。本体３１には３つの板ばね４０、４１、４２が、溶接、接着、リベット止め、またはカシメ止め等によって取り付けられる。さらに、取付金具３０を外装材に対して固定する際にビスを挿入するビス孔３５が本体３１に形成されている。なお、本実施例においては、３つの板ばね４０、４１、４２は、一枚の金属片４５を２つのスリット部によって水平方向に３分割することによって構成されている。
【００１５】
一般住宅においては、長さほぼ４ｍの化粧胴差が外壁の横幅に沿って複数並べて取り付けられる。そして、各化粧胴差に対して本発明の取付金具３０を５個程度、図４に示されているように長手方向に所定間隔をおいて並べて使用する。
【００１６】
図５は、図４における中央の取付金具３０’近傍、つまり、化粧胴差２０１と化粧胴差２０２との境目を示す正面図である。また、図６は、図４および５の６−６線断面図である。化粧胴差は、まずその下端部２５を取付金具３０の下フック部３３に引っ掛けて、次に上端部２１を取付金具３０の上フック部３２に対して押圧して押し込むことによりフック部の弾性変形を利用して取り付けられる。外装材３と化粧胴差の上端部２１との間の隙間には、コーキング材１２による防水処理が施されている。
【００１７】
図５および６に示されているように、３つに分割された板ばねのうちの左側の板ばね４０が左側の化粧胴差２０１に作用して外側（紙面手前側）に押圧しており、同様に、右側の板ばね４２が右側の化粧胴差２０２に作用して外側（紙面手前側）に押圧している。そして、中央の板ばね４１が両側の化粧胴差の間に入り込んで、各化粧胴差の端部の位置決めを行っている。すなわち、左側の化粧胴差２０１が右側へ移動する（ずれる）こと、および右側の化粧胴差２０２が左側へ移動する（ずれる）ことが防止される。さらに、化粧胴差２０１の左端および化粧胴差２０２の右端に同様の構造を設けることにより、各化粧胴差が左右に移動する（ずれる）ことを防止できる。化粧胴差と化粧胴差との境目は、通常、化粧胴差を取り付けた後でその上からカバー等を取り付けて隠される。
【００１８】
図４において、使用されている複数の取付金具３０、３０’はすべて同一のものである。つまり、図４において中央の取付金具３０’においては、３つの板ばねはそれぞれ異なる機能を果たすが、他の取付金具３０においては３つの板ばねのすべてが一の化粧胴差２０１または２０２を押圧する。このように本発明の取付構造においては、取付金具は使用される位置によってその機能が異なるのではあるが、複数種類の金具を用意する必要はなく、一種類のものを用意すれば足りる。
【００１９】
また、各取付金具の中央の板ばね４１は、化粧胴差と化粧胴差との境面に使用された場合に両者の間に入り込み得ることが重要なのであって、他の位置に使用された場合に化粧胴差を押圧し得ることは重要ではない。その場合には、その両側の板ばね４０、４２がその機能を果たせば十分だからである。したがって、中央の板ばね４１の反撥力は、その両側の板ばね４０、４２の反撥力よりも小さくてもよい。
【００２０】
また、中央の板ばね４１は、少なくとも化粧胴差の装着時に両側の板ばね４０、４２に対して相対的に前方に突出して化粧胴差と化粧胴差との間に入り込むことができればよく、必ずしも、図３に示されているように通常状態で中央の板ばねが前方に突出している必要はない。しかし、通常状態において中央の板ばね４１がその両側の板ばねに対して相対的に前方に突出している場合には、実際の化粧板材の取付作業において、化粧板材の端面を相対的に突出した板ばね４１の側部に当接させることにより、化粧板材の位置決めを容易に行うことができる。つまり、突出した板ばね４１を案内部材として利用することができ、非常に便利である。
【００２１】
図７には、本発明の取付構造の他の実施例が示されている。この実施例において使用される取付金具も、図３に示されるものと基本的には同じである。ただ、図７の取付金具は、桟木４と組み合わせて使用されるので上フック部を備えていない。この場合、化粧胴差は、その上端部２１を桟木４の上面に載せて、次に下端部２５を取付金具の下フック部３３に当接させて押し込むことにより、下フック部の弾性変形を利用して取り付けられ、図６の場合と同様にコーキング材１２による防水処理が施される。そして、その後にカバー等を取り付けて、化粧胴差と化粧胴差との境目が隠される。
【図面の簡単な説明】
【図１】従来の取付構造を採用して建築物の外壁に取り付けられた化粧胴差を示す斜視図である。
【図２】図１の２−２線断面図である。
【図３】本発明に係る取付金具の一実施例を示す斜視図である。
【図４】長尺の外装化粧板材に対して複数の取付金具を使用する本発明の構造を説明する概略図である。
【図５】図４に示された中央部の取付金具付近を拡大して説明する正面図である。
【図６】図４および５の６−６線断面図である。
【図７】本発明に係る取付金具の他の実施例を示す断面図である。
【符号の説明】
２  化粧胴差
３  外装材
４  桟木
５  取付金具
７  裏板
１０  ビス
１２  コーキング材
１４、１５  ビス
２１  化粧胴差の上端部
２５  化粧胴差の下端部
３０  取付金具
３１  取付金具本体
３２  取付金具の上フック部
３３  取付金具の下フック部
３５  ビス孔
４０、４１、４２  板ばね
４５  金属片
５６  取付金具のフック部
２０１、２０２  化粧胴差
【図１】
0003583186.tif 000002
【図２】
0003583186.tif 000003
【図３】
0003583186.tif 000004
【図４】
0003583186.tif 000005
【図５】
0003583186.tif 000006
【図６】
0003583186.tif 000007
【図７】
0003583186.tif 000008